(57)【要約】      （修正有）【課題】体積が小さく、簡単で便利であり、製造コストが低く、セット販売もしやすいライター取付け型支持部材を提供する。【解決手段】ライター取付け型支持部材は、筐体１０を有し、筐体は嵌合空間および嵌合口を有し、嵌合口は、筐体一端に設けられ、嵌合空間と連通する。嵌合口にはライター２００をスライド挿入し、ライターの外周縁の輪郭と嵌合空間とが一致する。筐体一側には嵌合槽１４が設けられ、嵌合空間と連通し、嵌合槽の嵌合空間に相対する心軸は支持角度を有し、嵌合槽にモバイル端末３００を置くことで、モバイル端末を斜めに立設させる。【選択図】図７
0003227035.tif 000002
【実用新案登録請求の範囲】
【請求項１】
ライター取付け型支持部材であって、
筐体を有し、
前記筐体は嵌合空間および嵌合口を有し、
前記嵌合口は前記筐体の一端に設けられて前記嵌合空間と連通し、
前記嵌合口にはライターをスライド挿入でき、
前記嵌合空間は前記ライターの外周縁の輪郭と一致し、
前記筐体の一側には嵌合槽を設けて前記嵌合空間と連通し、
前記嵌合槽の前記嵌合空間に相対する心軸は支持角度を有し、
前記嵌合槽にモバイル端末を置くことで、前記モバイル端末を斜めに立設させることができることを特徴とする、
ライター取付け型支持部材。
【請求項２】
前記筐体の前記嵌合口と異なる端部には封閉端を設け、前記封閉端と前記筐体は一体成型であることを特徴とする請求項１記載のライター取付け型支持部材。
【請求項３】
前記筐体の外形は長方形であり、前記嵌合口と前記封閉端は前記筐体の短辺方向にそれぞれ設け、前記嵌合槽は前記筐体の長辺方向に設けることを特徴とする請求項２記載のライター取付け型支持部材。
【請求項４】
前記嵌合空間の内周の辺縁には、複数個の突起を、間隔を開けて環状に設け、前記嵌合槽一側は凹陷部を設け、前記凹陷部と前記嵌合槽の間は凸垣を設けることを特徴とする請求項１記載のライター取付け型支持部材。
【請求項５】
前記筐体の長さは前記ライターの長さの半分であり、前記嵌合空間の形状は細長楕円形、正方形、多辺形であることを特徴とする請求項１記載のライター取付け型支持部材。
【考案の詳細な説明】
【技術分野】
【０００１】
本考案は、ライターの付属品に関するもので、特にライター取付け型支持部材に係る。
【背景技術】
【０００２】
モバイル端末、例えばスマートフォンやタブレットは、すでに人々が常に携帯し、欠くことのできない電子設備の一つとなっている。スマートフォンとタブレットはどちらも、基本的にカメラ、ゲーム、動画鑑賞、インターネット等の機能を備えている。モバイル端末を使用して動画を観る時、例えば長時間手で持って観ると疲れるが、一般的にモバイル端末を支える支持フレームを携帯することはないため、不便を感じる。
【０００３】
ライターは、喫煙者が必ず携帯する点火装置であり、ライターにモバイル端末を固定する付属品を設置するすることができれば、使用者は長時間、手でモバイル端末を持つ必要がなく、本考案の問題の一つを解決できる。
【考案の概要】
【考案が解決しようとする課題】
【０００４】
ライターにスライド装着し、使用時にはライターを引き出して嵌合槽から露出させ、モバイル端末を設置することができ、便利で実用性を備え、体積が小さく、構造が簡単であるという効果を有するライター取付け型支持部材を提供することを本考案の課題とする。
【課題を解決するための手段】
【０００５】
上述の目的を達成するため、本考案の一実施例はライター取付け型支持部材を提供する。ライター取付け型支持部材は筐体を有し、筐体は嵌合空間および嵌合口を有し、嵌合口は、筐体一端に設け、更に嵌合空間と連通する。嵌合口はライターをスライド設置でき、ライターの外周縁の輪郭に嵌合空間を合わせる。
筐体一側は嵌合槽を設け、嵌合空間と連通し、且つ嵌合槽の嵌合空間に相対する軸方向には支持角度を有し、嵌合槽にモバイル端末を置くことができ、モバイル端末を斜めに直立した角度に形成させる。
【考案の効果】
【０００６】
本考案のライター取付け型支持部材は、ライターと嵌合して使用でき、ライターの体積空間を占有せず、便利に使用でき、且つライターと自動的に一体となるため、失くしにくい。
また、体積が小さく、簡単で便利であり、スライドさせてスマートフォンを設置して使用することができる。
更に、製造コストが安いので、セット販売もしやすいという利点がある。
【図面の簡単な説明】
【０００７】
【図１】本考案のライター取付け型支持部材実施例の立体説明図である。
【図２】図１の２−２点線に沿った断面説明図である。
【図３】図１の３−３点に沿った断面説明図である。
【図４】本考案の支持部材とライターの説明図である。
【図５】本考案の支持部材にライターを嵌合して組合せた説明図である。
【図６】本考案の支持部材に相対するライターを引き出した動作説明図である。
【図７】本考案の使用状態説明図であり、支持部材を引き出した後、嵌合槽にモバイル端末を置き、斜めに立設した角度を形成している。
【考案を実施するための形態】
【０００８】
（一実施形態）
上述の考案の内容に表示された中心的思想の説明をするために、具体的実施例を以下に示す。実施例の中の各種の異なる部材は説明の便宜上の比率に依って表示したものであり、実際の部材の比率に基づき表示したものではないことを先に述べておく。
【０００９】
図１から図７に示すとおり、本考案の実施例のライター取付け型支持部材１００は、ライター２００をスライドさせて嵌合し、且つ未使用状態の時、支持部材１００はライター２００の一端に位置し、支持部材１００は支持部材１００とライター２００を組合せて一体となっており、ライター２００の体積を占有しないため、携帯して使用しやすく、失くしにくい。
【００１０】
支持部材１００は、外形が長方形の筐体１０を有する。筐体１０は嵌合空間１１および嵌合口１２を有し、嵌合口１２は筐体１０の一端に設け、更に嵌合空間１１と連通する。嵌合口１２からライター２００をスライド設置し、ライター２００の外周縁の輪郭に嵌合空間１１を合わせる。
市場で見られるライター２００の外形は細長楕円形、正方形、多辺形であるため、本考案実施例においては、嵌合空間１１の形状は細長楕円形、正方形、多辺形であるとすることで、支持部材１００の適用範囲を広くすることができる。その他、筐体１０の長さはライター２００の長さの半分とする。未使用状態の時、支持部材１００はライター２００を嵌合しており、ライター２００の長さを延ばさない。
【００１１】
筐体１０の嵌合口１２と異なる端部には封閉端１３を設ける。封閉端１３と筐体１０は一体成型である。嵌合口１２と封閉端１３は筐体１０の短辺方向にそれぞれ設ける。未使用状態の時、筐体１０はライター２００一端方向へだけスライドして固定し、封閉端１３へ隣接するか、またはライター２００の端部に当接する。このようにして支持部材１００に相対するライター２００をライター２００の長さ位置の範囲内でスライドさせることで、ライター２００の全長を延ばさず、便利に携帯できる。
【００１２】
筐体１０一側には嵌合槽１４を設ける。嵌合槽１４は筐体１０の長辺方向に設け更に嵌合空間１１と連通する。嵌合槽１４の嵌合空間１１に相対する心軸Ｌは支持角度Ａを有し、嵌合槽１４にモバイル端末３００を置くことで、モバイル端末３００を斜めに直立した角度にでき、使用者はモバイル端末３００を手で持たずに鑑賞できる。モバイル端末３００はスマートフォンまたは小サイズのタブレットＰＣ等である。
【００１３】
本考案の別の実施例では、筐体１０の嵌合空間１１の内周辺縁に複数個の突起１５を間隔をあけて環状に設ける。筐体１０をライター２００に嵌合する時、突起１５はライター２００の周辺縁に当接し、筐体１０がライター２００を安定して嵌合し、外れにくくなる。
この他、図２に示すとおり、嵌合槽１４一側には凹陷部１６を設ける。凹陷部１６と嵌合槽１４の間には凸垣１７を設ける。凹陷部１６は使用者の手指を置くための箇所で、筐体１０から対応するライター２００を力を入れて押し出し、凸垣１７は手指で端縁の停止作用を提供できるので、力を入れやすい。
【００１４】
本考案の別の実施例では、筐体１０の底面にはスマートフォンのスクリーンを磨くクリーニングクロス層（図未提示）を設ける。使用者がスクリーンをきれいにする時、ライター２００上を嵌合した支持部材１００から取り出し、手で支持部材１００を持ち、クリーニングクロス層でスクリーンを往復させてきれいにすることができる。
【００１５】
図４および図５に示すとおり、筐体１０をライター２００一端へ向けて進入嵌合させ、ライター２００の外周縁の輪郭に嵌合空間１１を合わせる。未使用状態の時、筐体１０はライター２００の長さの範囲内で位置できるため、全長が延びず、持ち運びしやすい。
【００１６】
図６および図７に示すとおり、筐体１０はライター２００に相対して外向きに滑り出て嵌合槽１４と嵌合空間１１から完全に露出する。嵌合槽１４がモバイル端末３００を設置する凹形空間となり、モバイル端末３００をその中に設置すると、斜めに安定するので、使用者は手でモバイル端末３００を持たずに、動画を鑑賞できる。
本考案の支持部材１００は体積が小さく、構造が簡単であり、不使用時にはライター２００を嵌合できる。使用時には相対するライター２００を引き出して、そこにモバイル端末３００を設置して使用する。支持部材１００の製造コストは低いので、セット販売もしやすい。
【００１７】
以上は良好な実施例に過ぎず、本考案に対して如何なる形式の制限も与えない。本考案の良好な実施例は上述のとおりであるが、これは本考案を制限するものではなく、本技術分野に習熟した者が本考案の技術案の範囲において、上述した技術内容に加えた変更または修飾は、同等の変形例と見なされ、すべて本考案の技術範囲に含まれる。本考案に基づく技術は、以上の実施例の如何なる簡単な修正、同等の変更、及び修飾も、すべて本考案の請求範囲に含まれる。
【符号の説明】
【００１８】
１００  支持部材
１０  筐体
１１  嵌合空間
１２  嵌合口
１３  封閉端
１４  嵌合槽
１５  突起
１６  凹陷部
１７  凸垣
２００  ライター
３００  モバイル端末
Ａ  支持角度
Ｌ  心軸
【図１】
0003227035.tif 000003
【図２】
0003227035.tif 000004
【図３】
0003227035.tif 000005
【図４】
0003227035.tif 000006
【図５】
0003227035.tif 000007
【図６】
0003227035.tif 000008
【図７】
0003227035.tif 000009